(57)【要約】【課題】工期を短縮でき、高さ制限のない壁を提供する。【解決手段】本発明にかかる壁１は、縦材１１と、上壁材１３ａと、下壁材１３ｂと、係合金具１５と、被係合金具１７とを備え、係合金具１５は、下壁材１３ｂの上部裏面３５に取り付けられるものであり、下壁材１３ｂの上端１４よりも上に縦材取付部３７を有し、縦材取付部３７よりも上に係合部３９を有し、被係合金具１７は、上壁材１３ａの下部裏面３５に取り付けられるものであり、係合金具１５の係合部３９に係合する被係合部４３と目地部４５とを有し、目地部４５が被係合部４３の下で上壁材１３ａの下端１２と下壁材１３ｂの上端１４との隙間Ｓの後側に位置している。【選択図】図１
2020204249.tif 000002
【特許請求の範囲】
【請求項１】
縦材と、上壁材と、下壁材と、係合金具と、被係合金具とを備え、
係合金具は、下壁材の上部裏面に取り付けられるものであり、下壁材の上端よりも上に縦材取付部を有し、縦材取付部よりも上に係合部を有し、
被係合金具は、上壁材の下部裏面に取り付けられるものであり、係合金具の係合部に係合する被係合部と目地部とを有し、目地部が被係合部の下で上壁材の下端と下壁材の上端との隙間の後側に位置していることを特徴とする壁。
【請求項２】
縦材と、上壁材と、下壁材と、係合金具と、被係合金具とを備え、
係合金具は、下壁材の上部裏面に取り付けられるものであり、下壁材の上端よりも上に縦材取付部と、縦材取付部よりも下に係合部と、目地部とを有し、
被係合金具は、上壁材の下部裏面に取り付けられるものであり、係合金具の係合部に係合する被係合部を有し、
目地部が上壁材の下端と下壁材の上端との隙間の後側に位置していることを特徴とする壁。
【請求項３】
縦材と、上壁材と、下壁材と、当接金具と、被当接金具とを備え、
当接金具は、下壁材の上部裏面に取り付けられるものであり、下壁材の上端よりも上に縦材取付部と、被当接金具に当接する当接部とを有し、
被当接金具は、上壁材の下部裏面に取り付けられるものであり、当接金具の当接部に当接する被当接部と目地部とを有し、目地部が被当接部の下で上壁材の下端と下壁材の上端との隙間の後側に位置していることを特徴とする壁。
【請求項４】
縦材と、上壁材と、下壁材と、当接金具と、被当接金具とを備え、
当接金具は、下壁材の上部裏面に取り付けられるものであり、下壁材の上端よりも上に縦材取付部と、縦材取付部よりも下に当接部と、目地部とを有し、
被当接具は、上壁材の下部裏面に取り付けられるものであり、当接金具の当接部に当接する被当接部を有し、
目地部が上壁材の下端と下壁材の上端との隙間の後側に位置していることを特徴とする壁。
【請求項５】
縦材と、上壁材と、下壁材と、当接金具と、被当接金具とを備え、
当接金具は、下壁材の上部裏面に取り付けられるものであり、下壁材の上端よりも上に縦材取付部と、縦材取付部よりも下に当接部を有し、
被当接金具は、上壁材の下部裏面に取り付けられるものであり、当接金具の当接部に当接する被当接部と目地部とを有し、目地部が上壁材の下端と下壁材の上端との隙間の後側に位置していることを特徴とする壁。
【発明の詳細な説明】
【技術分野】
【０００１】
本発明は、壁に関する。
【背景技術】
【０００２】
従来、ブロックを用いて壁を作っていたが、工期がかかると共に高さ制限があり、１．２ｍを越えるものは、控え壁を必要としていた。控え壁を設けると、スペースの無駄が発生することや意匠性を損なう問題があった。
【発明の概要】
【発明が解決しようとする課題】
【０００３】
そこで、本発明は、工期を短縮でき、高さ制限のない壁の提供を目的とする。
【課題を解決するための手段】
【０００４】
請求項１に記載の発明は、縦材と、上壁材と、下壁材と、係合金具と、被係合金具とを備え、係合金具は、下壁材の上部裏面に取り付けられるものであり、下壁材の上端よりも上に縦材取付部を有し、縦材取付部よりも上に係合部を有し、被係合金具は、上壁材の下部裏面に取り付けられるものであり、係合金具の係合部に係合する被係合部と目地部とを有し、目地部が被係合部の下で上壁材の下端と下壁材の上端との隙間の後側に位置していることを特徴とする壁である。
【０００５】
請求項２に記載の発明は、縦材と、上壁材と、下壁材と、係合金具と、被係合金具とを備え、係合金具は、下壁材の上部裏面に取り付けられるものであり、下壁材の上端よりも上に縦材取付部と、縦材取付部よりも下に係合部と、目地部とを有し、被係合金具は、上壁材の下部裏面に取り付けられるものであり、係合金具の係合部に係合する被係合部を有し、目地部が上壁材の下端と下壁材の上端との隙間の後側に位置していることを特徴とする壁である。
【０００６】
請求項３に記載の発明は、縦材と、上壁材と、下壁材と、当接金具と、被当接金具とを備え、当接金具は、下壁材の上部裏面に取り付けられるものであり、下壁材の上端よりも上に縦材取付部と、被当接金具に当接する当接部とを有し、被当接金具は、上壁材の下部裏面に取り付けられるものであり、当接金具の当接部に当接する被当接部と目地部とを有し、目地部が被当接部の下で上壁材の下端と下壁材の上端との隙間の後側に位置していることを特徴とする壁である。
【０００７】
請求項４に記載の発明は、縦材と、上壁材と、下壁材と、当接金具と、被当接金具とを備え、当接金具は、下壁材の上部裏面に取り付けられるものであり、下壁材の上端よりも上に縦材取付部と、縦材取付部よりも下に当接部と、目地部とを有し、被当接具は、上壁材の下部裏面に取り付けられるものであり、当接金具の当接部に当接する被当接部を有し、目地部が上壁材の下端と下壁材の上端との隙間の後側に位置していることを特徴とする壁である。
【０００８】
請求項５に記載の発明は、縦材と、上壁材と、下壁材と、当接金具と、被当接金具とを備え、当接金具は、下壁材の上部裏面に取り付けられるものであり、下壁材の上端よりも上に縦材取付部と、縦材取付部よりも下に当接部を有し、被当接金具は、上壁材の下部裏面に取り付けられるものであり、当接金具の当接部に当接する被当接部と目地部とを有し、目地部が上壁材の下端と下壁材の上端との隙間の後側に位置していることを特徴とする壁である。
【発明の効果】
【０００９】
請求項１〜５に記載の発明によれば、縦材に対して壁材を順次係合により積み上げて壁を施工できるので、ブロックを積み上げる場合に比較して、工期を短縮できると共に高さ制限も受けない。  
本発明の壁は、ブロックを積み上げていないので、壁の高さにかかわらず控え壁が不要であるから、無駄なスペースが生じない。また、施工性が良く、意匠性が良い。
【図面の簡単な説明】
【００１０】
【図１】本発明の第１実施の形態にかかる壁であって、図４に示すＡ−Ａ断面図である。
【図２】本発明の第１実施の形態にかかる壁であって、図４に示すＢ―Ｂ断面図である。
【図３】本発明の第１実施の形態にかかる壁であって、図４に示すＣ―Ｃ断面図である。
【図４】本発明の第１実施の形態にかかる壁の正面図である。
【図５】本発明の第１実施の形態にかかる壁の施工工程図である。
【図６】本発明の第２実施の形態にかかる壁であって、図８に示すＥ−Ｅ断面図である。
【図７】本発明の第２実施の形態にかかる壁であって、図８に示すＦ―Ｆ断面図である。
【図８】本発明の第２実施の形態にかかる壁の正面図である。
【図９】本発明の第２実施の形態にかかる壁の施工工程図である。
【図１０】本発明の第３実施の形態にかかる壁であって、図１に対応する断面図である。
【図１１】本発明の第４実施の形態にかかる壁の縦断面図である。
【図１２】本発明の第４実施の形態にかかる壁であって、最下位置の壁材の上に壁材を取り付ける工程を（ａ）〜（ｄ）で示す縦断面図である。
【図１３】本発明の第５実施の形態にかかる壁の縦断面図である。
【図１４】本発明の第５実施の形態にかかる壁であって、最下位置の壁材の上に壁材を取り付ける工程を（ａ）〜（ｃ）で示す縦断面図である。
【図１５】本発明の第６実施の形態にかかる壁であって、図１７に示すＧ−Ｇ断面図である。
【図１６】本発明の第６実施の形態にかかる壁であって、図１７に示すＨ−Ｈ断面図である。
【図１７】本発明の第６実施の形態にかかる壁の正面図である。
【発明を実施するための形態】
【００１１】
以下に、添付図面を参照して、本発明の実施形態を説明するが、まず、図１〜図５を参照して本発明の第１実施の形態について説明する。  
図４に示すように、第１実施形態にかかる壁１は、家の玄関前に設けたファサードであり、壁材１３を積み上げて構成されている。壁１の正面において、上下方向の中間部には、表札３、インターホン５及び郵便受け７を有する機能フレーム９が取り付けてある。  
図１に示すように、壁１は、縦材１１と、上壁材１３ａと、下壁材１３ｂと、係合金具１５と、被係合金具１７とを備えている。上壁材１３ａと下壁材１３ｂとは、同種の壁材１３であり、壁材１３（図４参照）を積み上げたときの上下で隣り合う壁材１３どうしの位置関係が必要な場合に上壁材１３ａと下壁材１３ｂと表記する。したがって、本明細書において、上下に隣り合う壁材の位置関係が必要ない場合には単に壁材１３と表記する。また、最下位置にある壁材は壁材１３ｅとし、最上位置にある壁材は壁材１３ｆと表記する。  
図１に示すように、壁材１３は樹脂材製である。また、壁材１３は、壁１の左右方向に亘って設けてある（図４参照）。
【００１２】
図４に示すように、縦材１１は、壁１の左側（正面から見て左側）と、右側（正面から見て右側）と左右方向の略中央との３箇所に設けてあり、下端部１１ａを地面に埋め込んで固定してある。  
図３に示すように、縦材１１は、中空のアルミ形材であり、図３において左縦材１１の左側と、右縦材１１の右側には、それぞれ被係止部２３が形成されていると共に補助材２５がネジ２４で固定されている。  
左縦材１１の左側と、右縦材１１の右側にはそれぞれ縦枠２７が設けてあり、縦枠２７は、各縦枠２７に形成されている係止部２９が被係止部２３に係止して対応する縦材１１に取り付けてある。
【００１３】
図２に示すように、壁１は、道路側に設けた一方側壁面体１９と、家側に設けた他方側壁面体２１とを有し、各壁面体１９、２１は、それぞれ壁材１３を積み上げて構成してあり、縦材１１は一方側壁面体１９と他方側壁面体２１との間に設けてある。
【００１４】
次に、図１を参照して、係合金具１５と被係合金具１７について説明するが、一方側壁面体１９に設けた係合金具１５及び被係合金具１７と、他方側壁面体２１に設けた係合金具１５及び被係合金具１７とは同じ構造であるから、以下の説明では、一方側壁面体１９について説明する。  
係合金具１５は、壁材１３の左右方向に亘って設けてあり（図４参照）、壁材取付部１５ａを下壁材１３ｂの上部裏面３５にネジ３６で取り付けてあり、縦材取付部３７と係合部３９とを一体に備えている。ネジ３６は、下壁材１３ｂに螺合して止めてある。また、縦材取付部３７と係合部３９の間は連結部４１で連結されている。  
縦材取付部３７は縦材１１に当接してあり、壁材１３側から止めるネジ４０で縦材１１に固定してある。  
係合部３９は、連結部４１の壁材１３側端に設けてあり、上壁材１３ａの下部裏面３５側で上に向けて突出している。
【００１５】
被係合金具１７は、係合金具１５と同様に壁材１３の左右方向に亘って設けてあり（図４参照）、上壁材１３ａの下部の裏面３５にネジ４２で取り付けてあり、被係合部４３と目地部４５とを一体に備えている。ネジ４２は、上壁材１３ａに螺合して止めてある。また、被係合金具１７には、被係合部４３の縦材１１側に縦材当接部４７が設けてある。
【００１６】
被係合部４３は開口を下に向けた溝４３ａであり、係合金具１５の係合部３９を溝４３ａに嵌め込むようにして上から係合している。  
目地部４５は、被係合部４３の下で上壁材１３ａの下端１２と下壁材１３ｂの上端１４との隙間Ｓの後側に位置している。この目地部４５は、被係合部４３の溝４３ａを形成している壁材側溝壁４９から連続して下方に延出している。
【００１７】
図２に示すように、機能フレーム９とその下の壁材１３との間には、機能フレーム台座５１が設けてあり、機能フレーム９とその上の壁材１３との間には壁材受け５３が設けてある。  
機能フレーム台座５１は、一方側壁面体１９と他方側壁面体２１とに亘って設けてあり、一方側壁面体１９と他方側壁面体２１の各壁材１３に載置する載置部５１ａと、当接部５１ｂを備えている。載置部５１ａは壁材１３の上端に載置して、上から止めるネジ５０で固定してある。当接部５１ｂは、壁材１３の上部裏面３５に当接している。  
壁材受け５３は、一方側壁面体１９と他方側壁面体２１とに亘って設けてあり、機能フレーム９の上面に載置してあり、一方側壁面体１９と他方側壁面体２１の各壁材１３の下端を受ける受け部５３ａが上方に突設して形成されている。
【００１８】
壁１の上端部には、笠木ベース５５、笠木補助材５６及び笠木５７が取り付けてある。  笠木ベース５５は、縦材１１の上端にネジ５４で縦材１１のビスホール５８（図３参照）に固定してある。この笠木ベース５５には、笠木５７が係止する係止部６２が設けてある。  
笠木補助材５６は、一方側壁面体１９と他方側壁面体２１の最上に設けた各壁材１３ｆの上面及び上部裏面３５を覆っており、ネジ６０で各最上の壁材１３ｆに固定してあると共にネジ６１で笠木ベース５５にも固定されている。最上の壁材１３ｆには、被係合金具１７（図１参照）のみが取り付けてあり、係合金具１５（図１参照）は取り付けていない。  
笠木５７は、一方側壁面体１９と他方側壁面体２１とに亘って設けてあり、一方側壁面体１９と他方側壁面体２１と縦材１１の上端を覆っている。笠木５７には笠木ベース５５の係止部６２に係止する被係止部６３が設けてある。
【００１９】
壁１の下端において、縦材１１には一方側壁面体１９と他方側壁面体２１の各対向面に係合金具１５をネジ４０で取り付けてあり、最下にある壁材１３ｅの被係合金具１７を係合金具１５に係合してある。
【００２０】
次に、主に図５を参照しながら本実施の形態にかかる壁１の施工方法について説明する。尚、図５では、図４に示す各部材を概略的に示すと共に、左右にある縦材１１、１１のみを示しており、左右方向中間にある縦材１１は省略している。  
まず、最上の壁材１３ｆ（図２参照）を除く各壁材１３（１３ａ、１３ｂ、１３ｅ）には、予め、図１に示すように、上部裏面３５に係合金具１５を取り付けておき、下部裏面３５に被係合金具１７を取り付ける。  
一方、図５（ａ）に示すように、各縦材１１、１１を地面に立設する。図２に示すように、各縦材１１の下端部には、その一方側（道路側）と他方側（家側）とに係合金具１５の縦材取付部３７をネジ４０で固定する。  
そして、最下位置の壁材１３ｅに取り付けた被係合金具１７の被係合部４３を縦材１１に取り付けた係合金具１５の係合部３９に上から係合して最下位置の壁材１３を縦材１１に取り付ける。  
次に、図１に示すように、下壁材１３ｂ（最下位置にある壁材１３ｅ）の上部裏面３５に取り付けた係合金具１５の縦材取付部３７を縦材１１にネジ４０で固定する。  
その後、上壁材１３ａの下部裏面３５に取り付けた被係合金具１７の被係合部４３を下壁材１３ｂの係合金具１５の係合部３９に上から係合して上壁材１３ａを下壁材１３ｂの上に積み上げ、上壁材１３ａの上部裏面３５に取り付けてある係合金具１５の縦材取付部３７をネジ４０で縦材１１に固定する。  
同様にして、壁材１３を順次積み上げていき、一方側壁面体１９と他方側壁面体２１をそれぞれ所定高さまで積み上げる。
【００２１】
図５（ｂ）に示すように、所定高さまで積み上げた壁材１３の上に機能フレーム台座５１を乗せ、図２に示すように、一方側（道路側）と他方側（家側）の各載置部５１ａ、５１ａをネジ５０で壁材１３に固定する。  
次に、図５（ｃ）に示すように、機能フレーム台座５１の上に機能フレーム９を載せる。その後、図５（ｄ）に示すように、機能フレーム９の上に壁材受け５３（図２参照）を乗せる。  
次に、壁材受け５３の上に一方側壁面体１９を構成する壁材１３及び他方側壁面体２１を構成する壁材１３を乗せて、図１に示すように、その壁材１３の上部の裏面３５に取り付けてある係合金具１５の縦材取付部３７を縦材１１にネジ４０で固定する。そして、下壁材１３ｂの上に上壁材１３ａを上述したように係合金具１５と被係合金具１７を係合しながら順次積み上げていく。  
そして、一方側壁面体１９と他方側壁面体２１において、最上位置の壁材１３ｆを積み上げた後、図２に示すように、縦材１１の上端に笠木ベース５５をネジ５４で固定し、最上位置の壁材１３ｆの上端に笠木補助材５６をネジ６０で固定すると共に笠木ベース５５と笠木補助材５６をネジ６１で固定する。
【００２２】
次に、図５（ｅ）に示すように、左縦材１１の左側面及び右縦材１１の右側面にそれぞれ縦枠２７を配置し、図３に示すように、縦枠２７の係止部２９を縦材１１の被係止部２３に係止して、左右の縦枠２７を取り付け、図２に示すように、笠木５７の被係止部６３を笠木ベース５５の係止部６２に係止して笠木５７を取付け、図５（ｆ）に示すように、壁１の施工を完了する。
【００２３】
第１実施の形態にかかる壁１の作用効果について説明する。  
図１に示すように、壁１は、縦材１１に対して壁材１３を順次係合により積み上げて壁を施工できるので、ブロックを積み上げる場合に比較して、工期を短縮できると共に高さ制限も受けない。  
壁１は、ブロックを積み上げていないので、壁１の高さにかかわらず控え壁が不要であるから、無駄なスペースが生じない。また、施工性が良く、意匠性が良い。  
上壁材１３ａの下端１２と下壁材１３ｂの上端１４との間に隙間Ｓを形成しているので、壁材１３の熱伸び及び製造誤差を許容できる。
【００２４】
上壁材１３ａと下壁材１３ｂの隙間Ｓを目地部４５で塞いでいるので、隙間Ｓを塞ぐ仕上げが不要で、意匠性が良い。  
目地部４５は被係合金具１７に一体に設けてあるから、被係合金具１７を上壁材１３ａの下部裏面に３５に取り付けるだけで、上壁材１３ａと下壁材１３ｂ（図２参照）の裏面側に設けることができる。  
壁材１３に係合金具１５及び被係合金具１７を取り付けることで、壁材１３の補強ができると共に、係合金具１５は縦材取付部３７を縦材１１に取り付けているので、壁材１３の縦材１１への固定ができる。  
各壁材１３は樹脂材製であるから、軽量で、意匠性が良い。
【００２５】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図１及び図６〜図９に、本発明の第２実施の形態にかかる壁１を示す。  
図８に示すように、第２実施の形態にかかる壁１は、第１実施の形態に係る壁１で用いた機能フレーム９に替えて宅配ボックス６６を取り付けている。縦材１１は左右の各端部に設ける他に、宅配ボックス６６を左右で挟む位置に２つ設けてあり、合計４本の縦材１１を設けている。  
また、宅配ボックス６６の左右に取り付けた宅配ボックス横側壁材１３ｃは、宅配ボックス６６の上側及び下側に設けた壁材１３よりも短い長さとしてある。その他の構成は、第１実施の形態と略同じである。  
尚、宅配ボックス６６は、配達員が荷物を配達するときに配達物を入れたり、荷物を集荷依頼するときに住人が集荷荷物を入れておくものである。
【００２６】
図９を参照して、この第２実施の形態に係る壁１の施工方法を説明する。尚、図９では、図８に示す各部材を概略的に示すと共に、壁材１３の積み上げる数も省略している。  
各壁材１３及び宅配ボックス横側壁材１３ｃには、第１実施の形態と同様に、最上の壁材１３ｆを除く各壁材１３ａ、１３ｂ、１３ｅ、１３ｃの上部裏面３５に係合金具１５を取り付け、下部裏面に被係合金具１７を取り付けておく（図１参照）。尚、最上の壁材１３ｆには、下部裏面に被係合金具１７のみを取り付けておく。  
図９（ａ）に示すように、壁１の左右端部及び宅配ボックス６６の左右に配置する合計４つの縦材１１を地面に立設する。各縦材１１の上端には、笠木ベース５５を固定し（図６参照）、第１実施の形態と同様に最下位置にある壁材１３は、その被係合金具１７を予め各縦材１１の下部に取り付けた係合金具１５に係合して取付ける。そして、第１実施の形態と同様に下壁材１３ｂに上壁材１３ａを係合して壁材１３を順次積み上げる。
【００２７】
図９（ｂ）に示すように、中央の２本の縦材１１間に宅配ボックス取付台座（図６参照）６７を取り付ける。宅配ボックス取付台座６７は、第１実施の形態の機能フレーム台座５１と同じ構造であるが、左右の長さが宅配ボックスの左右に設けた縦材１１、１１間の長さとしてあることが第１実施の形態と異なっている。  
図９（ｃ）に示すように、宅配ボックス取付台座６７の上に宅配ボックス６６を載せる。  
図９（ｄ）に示すように、宅配ボックス６６の左の２本の縦材１１、１１間と、宅配ボックス６６の右の２本の縦材１１、１１間とにそれぞれ宅配ボックス横側壁材１３ｃを係合金具１５と被係合金具１７との係合により積み上げていく。そして、宅配ボックス６６の上に壁材受け５３（図６参照）を載せる。壁材受け５３の上に、壁材１３を係合金具１５と被係合金具１７との係合により積み上げる。  
図９（ｅ）に示すように、第１実施の形態と同様に、左縦材１１の左側面及び右縦材１１の右側面にそれぞれ縦枠２７を取り付け、笠木５７を笠木ベース５５に取り付けて、図９（ｆ）に示すように、第２実施の形態に係る壁１の施工を完了する。
【００２８】
この第２実施の形態に係る壁１によれば、第１実施の形態と同様の作用効果を奏することができる。  
更に、地面に立設した４本の縦材１１の上端に笠木ベース５５を取り付けてから、各壁材１３、１３ｃを積み上げたり、宅配ボックス６６を取り付けているので、縦材１１を安定した状態で施工できる。
【００２９】
図１０を参照して、第３実施の形態を説明する。  
この第３実施の形態の壁１では、係合金具１５は、下壁材１３ｂの上部裏面３５に取り付けられるものであり、下壁材１３ｂの上端よりも上に縦材取付部３７と、縦材取付部３７よりも下に係合部３９と、目地部４５とを有している。  
係合部３９は、上を開口した溝状であり、溝の壁材側壁が目地部４５としてある。係合部３９の溝の開口には溝を狭める突部３９ａが形成されている。  
被係合金具１７は、上壁材１３ａの下部裏面３５に取り付けられるものであり、係合金具１５の係合部３９に係合する被係合部４３を有している。被係合部４３は、下方に突出した互いに対向する脚部４３ｂを有し、係合部３９の溝内に弾性変形により係合する。  
その他の構成は、第１及び第２実施の形態と同様である。
【００３０】
この第３実施の形態によれば、下壁材１３ｂに上壁材１３ａを積み上げるときには、下壁材１３ｂに取り付けた係合金具１５の縦材取付部３７を縦材１１にネジ４０で止め、次に、上壁材１３ａに取り付けた被係合金具１７の被係合部４３を係合金具１５の溝状の係合部３９に嵌め入れて係合する。  
このようにして、第１実施の形態と同様に、下壁材１３ｂに上壁材１３ａを係合金具１５と被係合金具１７との係合により積み上げて、縦材１１に固定できる。  
この第３実施の形態によれば、第１及び第２実施の形態と同様の作用効果を奏することができる。
【００３１】
図１１及び図１２を参照して、本発明の第４実施の形態について説明する。この第４実施の形態にかかる壁１では、第１及び第２実施の形態の係合金具１５に替えて当接金具７１を設けており、第１及び第２実施の形態の被係合金具１７に替えて被当接金具７３を設けている。  
即ち、下壁材１３ｂの上部裏面３５に当接金具７１がネジ３６で固定してある。当接金具７１は、下壁材１３ｂの上端１４よりも上に縦材取付部７５が設けてあり、縦材取付部７５をネジ７６で縦材１１に取り付けてあり、縦材取付部７５よりも上に当接部７７が上壁材１３ａ側に突出して設けてある。  
上壁材１３ａの下部裏面３５には、被当接金具７３がネジ４２で固定してある。被当接金具７３は、当接金具７１の当接部７７に当接する被当接部８１と目地部４５とを有している。目地部４５は、被当接部８１の下に連続してあり、上壁材１３ａの下端１２と下壁材１３ｂの上端１４との隙間Ｓの後側に位置している。
【００３２】
一方、最下位置の壁材１３ｅでは、最下位置の当接金具８３を縦材１１にネジ８５で取り付けてある。この最下位置の当接金具８３は下端に最下位置の壁材１３ｅに取り付けた被当接金具７３の目地部４５の下端に係止する係止部８６と有している。また、当接部７７は縦材取付部７５よりも下方に設けている。
【００３３】
図１２（ａ）に示すように、この第４実施の形態では、縦材１１の下部に最下位置の当接金具８３の縦材取付部７５を縦材１１にネジ８５で取付け、最下位置の壁材１３ｅの被当接部８１を当接金具８３の当接部７７に当接させるようにして組付ける。その後、最下位置の壁材１３ｅ（下壁材１３ｂ）の上部に取り付けてある当接金具７１の縦材取付部７５を縦材１１にネジ７６で固定する。  
次に、最下位置の壁材１３ｅ（下壁材１３ｂ）の上に上壁材１３ａをその下端を縦材１１に近づけるように傾けて、上壁材１３ａを配置し、図１２（ｂ）に示すように、上壁材１３ａの下部裏面３５に取り付けてある被当接金具７３の目地部４５を最下位置の壁材１３ｅの裏面３５側に配置し、図１２（ｃ）に示すように最下位置の壁材１３ｅの当接金具７１の当接部７７に上壁材１３ａの被当接部８１を押し付けるようにして当接させ、目地部４５を最下位置の壁材１３ｅ（下壁材１３ｂ）の上端１４と上壁材１３ａの下端１２との隙間の後側に配置する。その後、図１２（ｄ）に示すように、上壁材１３ａの上部裏面に取り付けてある当接金具７１の縦材取付部７５をネジ７６で縦材１１に固定する。同様にして、壁材１３を順次積み上げていく。  
図１１に示すように、最後に、第１実施の形態と同様に、笠木５７を取り付ける。
【００３４】
この第４実施の形態では、下壁材１３ｂの上部にネジ３６で固定した当接金具７１の当接部７７を上壁材１３ａに固定した被当接金具７３の被当接部８１に裏面側から当接すると共に上壁材１３ａの上部裏面３５に取り付けた当接金具７１は縦材取付部７５により縦材１１に取り付けているので、下壁材１３ｂの上に上壁材１３ａを積み上げて保持することができる。  
また、縦材１１に対して壁材１３を順次により積み上げて壁を施工できるので、ブロックを積み上げる場合に比較して、工期を短縮できると共に高さ制限も受けない。  
壁１は、ブロックを積み上げていないので、壁１の高さにかかわらず控え壁が不要であるから、無駄なスペースが生じない。また、施工性が良く、意匠性が良い。  
上壁材１３ａの下端１２と下壁材１３ｂの上端１４との間に隙間Ｓを形成しているので、壁材１３の熱伸び及び製造誤差を許容できる。  
上壁材１３ａと下壁材１３ｂの隙間Ｓを目地部４５で塞いでいるので、隙間Ｓを塞ぐ仕上げが不要で、意匠性が良い。  
目地部４５は被当接金具７３に一体に設けてあるから、被当接金具７３を上壁材１３ａの下部裏面に３５に取り付けるだけで、上壁材１３ａと下壁材１３ｂ（図２参照）の間の隙間の裏面側に設けることができる。  
壁材１３（１３ａ、１３ｂ、１３ｅ）に当接金具７１及び被当接金具７３を取り付けることで、壁材１３の補強ができると共に、当接金具７１は縦材取付部７５を縦材１１に取り付けているので、各壁材１３（１３ａ、１３ｂ、１３ｆ）の縦材１１への固定ができる。  
各壁材１３は樹脂材製であるから、軽量で、意匠性が良い。
【００３５】
図１３及び図１４を参照して、本発明の第５実施の形態について説明する。図１３に示すように、この第５実施の形態にかかる壁１では、当接金具７１は、第４実施の形態に対して縦材取付部７５よりも下に当接部７７と目地部４５を設けており、被当接金具７３には目地部４５を設けていないことが第４実施の形態と異なっている。  
即ち、下壁材１３ｂの上部裏面３５に当接金具７１がネジ３６で固定してある。当接金具７１は、下壁材１３ｂの上端１４よりも上に縦材取付部７５が設けてあり、縦材取付部７５をネジ７６で縦材１１に取り付けてある。また、当接金具７１は縦材取付部７５よりも下に当接部７７が設けてある。  
目地部４５は、当接金具７１において、下壁材１３ｂの取付部７１ａから上方に突設してあり、縦材取付部７５の下で上壁材１３ａの下端１２と下壁材１３ｂの上端１４との隙間Ｓの後側に位置している。  
上壁材１３ａの下部裏面３５には、被当接金具７３がネジ４２で固定してある。被当接金具７３は、当接金具７１の当接部７７に当接する被当接部８１を有している。
【００３６】
図１４に示すように、最下位置の壁材１３ｅでは、最下位置の当接金具８３において、縦材取付部７５を縦材１１にネジ７６で取り付けてある。この最下位置の当接金具８３は当接金具７１と同種のものを用いているが、縦材１１にのみ取付けてあり、壁材には取り付けていない。
【００３７】
図１４（ａ）に示すように、この第５実施の形態では、縦材１１の下部に最下位置の当接金具８３の縦材取付部７５を縦材１１にネジ７６で取付け、最下位置の壁材１３ｅの被当接金具７３の被当接部８１を当接金具８３の当接部７７に当接させるようにして組付ける。その後、最下位置の壁材１３ｅ（下壁材１３ｂ）の上部に取り付けてある当接金具７１の縦材取付部７５を縦材１１にネジ７６で固定する。  
次に、最下位置の壁材１３ｅ（下壁材１３ｂ）の上に上壁材１３ａをその下端を縦材１１に近づけるように傾けて、目地部４５に表面側から当てるようにして上壁材１３ａを配置し、図１４（ｂ）（ｃ）に示すように、上壁材１３ａの下部裏面３５に取り付けてある被当接金具７３の被当接部８１を最下位置の壁材１３ｅの当接金具７１の当接部７７に押し付けるようにして当接させ、目地部４５を下壁材１３ｂの上端１４と上壁材１３ａの下端１２との隙間の後側に配置する。その後、図１４（ｃ）に示すように、上壁材１３ａの上部裏面に取り付けてある当接金具７１の縦材取付部７５をネジ７６で縦材１１に固定する。同様にして、壁材１３を順次積み上げていく。  
この第５実施の形態では、上述した第４実施の形態と同様の作用効果を奏することができる。
【００３８】
図１５〜図１７を参照して、本発明の第６実施の形態について説明する。図１７に示すように、この第６実施の形態にかかる壁１では、第１実施の形態に係る壁１と異なり、表札３、インターホン５及び郵便受け７を有する機能フレーム９（図４参照）を設けていない。また、図１５に示すように、各壁材１３には、アルミニウム製のホロー材６８が埋め込まれており、軽量で且つ強度が高められている。  
図１６に示すように、縦材１１は、壁１の左端（図１６において左側の端）と右端（図１６において右側の端）にそれぞれ設けてあり、左縦材１１の左側と右縦材１１の右側にそれぞれ縦枠２７がねじ２４で固定されている。
【００３９】
次に、第６実施の形態に係る当接金具７１と被当接金具７３について説明する。  
図１５に示すように、第６実施の形態では、当接金具７１は、下壁材１３ｂの上部裏面にねじ３６で取り付けられており、下壁材１３ｂの上端よりも上に縦材取付部７５と、縦材取付部７５よりも下に当接部７７が設けてある。当接金具７１において、下壁材の取付部７１ａと縦材取付部７５との間には、縦断面が矩形の中空部７２が設けてあり、中空部７２の上壁材１３ａ側の上コーナ部が当接部７７としてある。  
中空部７２において、当接部７７の下方には縦材１１側が凹んだ凹部７４が形成されている。  
被当接金具７３は、上壁材１３ａの下部裏面にねじ４２で取り付けられており、当接金具７１の当接部７７に当接する被当接部８１と目地部４５とを有し、目地部４５が上壁材１３ａの下端１２と下壁材１３ｂの上端１４との隙間Ｓの後側に位置している。また、目地部４５は、上壁材１３ａの下端１２及び下壁材１３ｂの上端１４と、当接金具７１の凹部７４との間の隙間に入り込んでいる。  
図１６に示すように、被当接金具７３は、壁材１３の左端から右端に至る左右方向に長い長尺材であり、被当接金具７３の目地部４５で上壁材１３ａの下端と下壁材１３ｂの上端との隙間Ｓを隠している。  
一方、当接金具７１は、縦材１１の左端から右端までの左右長さを有するピース材である。
【００４０】
図１５に示すように、最下位置の壁材１３ｅの下端に対応して取り付ける当接金具８３は、下壁材の取付部７１ａに対応する位置に壁材取付材９１を取り付けてある。壁材取付材９１は縦断面が略Ｌ字形状を成すアングル材である。最下位置の壁材１３ｅでは、被当接金具７３の目地部４５は、最下位置の壁材１３ｅの下端と壁材取付材９１との間の隙間の後側に位置している。  
尚、最下位置の壁材１３ｅのホロー材６８のホロー部分に示すハッチング９３は小口に設けたシーリングである。
【００４１】
この第６実施の形態における壁１の施工は、最上位置の壁材１３ｆを除く各壁材１３の下端部に被当接金具７３をねじ４２で取り付けておく。  
そして、図１５に示すように、縦材１１の下部に最下位置の当接金具８３の縦材取付部７５を縦材１１にネジ７６で取付け、当接金具７１の下壁材の取付部７１ａに壁材取付材９１をねじ９２で取り付ける。  
最下位置の当接金具７１の凹部７４と壁材取付材９１との間に被当接金具７３の目地部４５を挿入して、最下位置の壁材１３ｅを配置し、次に、最下位置の壁材１３ｅの上部に取り付けてある当接金具７１の縦材取付部７５をねじ７６で縦材１１に取り付ける。  
続いて、上壁材１３ａの被当接金具７３の目地部４５を下壁材１３ｂの上端と当接金具７１の凹部７４との間に差し込むようにして下壁材１３ｂの上に上壁材１３ａを積み上げる。  
以下同様にして、下壁材１３ｂの上に上壁材１３ａを積み上げ、最上位置の壁材１３ｆの上端には、笠木補助材５６を取り付けたのち、笠木５７を取り付ける。
【００４２】
この第６実施の形態では、上述した第４実施の形態と同様の作用効果を奏することができると共に、当接金具７１には、縦材取付部７５と下壁材の取付部７１ａとの間に中空部７２を設けているから、当接金具７１の強度が高い。また、中空部７２のコーナを被当接金具７３の被当接部８１に当接する当接部７７としてあるから、当接部７７の強度も高い。
【００４３】
本発明は、上述した実施の形態に限らず、本発明の要旨を逸脱しない範囲で種々変形可能である。  
例えば、縦材１１の表面側と裏面側との両方に壁材１３を設けることに限らず、表面側のみに設けても良い。  
壁１は、ファサードに限らず、フェンスや、カーポート等の簡易建物の壁であっても良い。  
目地部４５には、通風用の孔を形成して、受ける風圧を低減するようにしても良い。
【符号の説明】
【００４４】
１      壁
１１    縦材
１２    上壁材の下端
１３    壁材
１３ａ  上壁材
１３ｂ  下壁材
１４    下壁材の上端
１５    係合金具
１７    被係合金具
３５    壁材の裏面
３７    縦材取付部
３９    係合部
４３    被係合部
４５    目地部
７１    当接金具
７３    被当接金具
７５    縦材取付部
７７    当接部
８１    被当接部
Ｓ      隙間
【図１】
2020204249.tif 000003
【図２】
2020204249.tif 000004
【図３】
2020204249.tif 000005
【図４】
2020204249.tif 000006
【図５】
2020204249.tif 000007
【図６】
2020204249.tif 000008
【図７】
2020204249.tif 000009
【図８】
2020204249.tif 000010
【図９】
2020204249.tif 000011
【図１０】
2020204249.tif 000012
【図１１】
2020204249.tif 000013
【図１２】
2020204249.tif 000014
【図１３】
2020204249.tif 000015
【図１４】
2020204249.tif 000016
【図１５】
2020204249.tif 000017
【図１６】
2020204249.tif 000018
【図１７】
2020204249.tif 000019